(57)【要約】【課題】  ドラム缶を使用し、培地として、特にキノコを作った後の廃オガクズを使用することで安価な栽培方法を提供できると共に、収穫時も、ドラム缶を反転させることにより簡単に山芋等を取り出すことができ、培地は肥料として利用でき、無駄がなく、栽培場所も特に土を必要としない山芋等の栽培方法を提供する。【解決手段】  地面上に立設したドラム缶内に、オガクズと鶏糞と牛糞を混合した培地を入れ、上部に零余子等を３個から５個植え込み、成育に達した時、油圧ショベル等にてドラム缶を掴み、上面を下方に向け、中の培地を取り除き、山芋等を収穫することを特徴とする。【選択図】  図１
2005021145.tif 000002
【特許請求の範囲】
【請求項１】
地面上に立設したドラム缶内に、オガクズと鶏糞と牛糞を混合した培地を入れ、上部に零余子等を３個から５個植え込み、成育に達した時、油圧ショベル等にてドラム缶を掴み、上面を下方に向け、中の培地を取り除き、山芋等を収穫することを特徴とする山芋等の栽培方法。
【請求項２】
培地として、キノコを作った後の廃オガクズを自然発酵させたものに、発酵鶏糞と発酵牛糞を混合してなることを特徴とする請求項１記載の山芋等の栽培方法。
【請求項３】
ドラム缶の外周面に穴を穿設してなることを特徴とする請求項１又は２記載の山芋等の栽培方法。
【請求項４】
ドラム缶の立設場所が土以外の所であることを特徴とする請求項１、２又は３記載の山芋等の栽培方法。
【発明の詳細な説明】
【発明の詳細な説明】
【技術分野】
【０００１】  本発明は、ドラム缶を使用し、効率よく山芋、自然薯、長芋等を収穫できる山芋等の栽培方法に関するものである。
【背景技術】
【０００２】  従来の技術として、地中部に所定幅と所定深さからなる取付溝を形成し、この取付溝内へ内部が中空状に形成されて少なくともその上端部に開口を有する円筒体を、該開口が地表部に略位置するように多数並べて埋設し、これら円筒体内へ、用土を充填した栽培袋を該円筒体の略全長に対してそれぞれ挿入し、これら栽培袋内の用土へ種芋を撒いた後、これら円筒体上に覆土を施して成育を待ち、所定の成育に達したとき、前記覆土を取り除いて、円筒体内から栽培袋ごと自然薯を取り出して収穫することを特徴とする自然薯の栽培方法がある。（特許文献１参照）【０００３】  また、別の従来の技術として、両端が開放された断面円弧状のパイプの一端をやや扁平に形成して案内棒を立てられるようにし、このパイプの凹溝に無菌の山土を充填し、前記パイプの他端を下向きに傾斜させて地下に埋設し、その上部に土を盛って畝を形成して案内棒を立て、下側に日光を遮蔽する雑草防除層を設け上側に日光を反射する地温上昇抑制層を設けた二層のシートを案内棒に近接配置して畝を覆い、案内棒によって種芋から成長する新生芋を凹溝に沿って発育するようにしたことを特徴とする自然薯の栽培方法がある。（特許文献２参照）【０００４】
【特許文献１】          特開平１１−７５５３３号公報（請求項１、図１）
【特許文献２】          特開２００１−２９２６３２号公報（請求項１、図１、図４）
【発明が解決しようとする課題】
【０００５】  上記前者の場合、円筒体と栽培袋とから構成されており、地表部に多数並べて埋設してなるもので作業が大変であり、専用の栽培袋を使用しなければならず、コスト的にも問題がある。
【０００６】  上記後者の場合、断面円弧状のパイプ内に無菌の山土を充填し、二層のシートを案内棒に近接配置してなる構成で、これもスタート時の施工が手間であり、初期投資に費用が掛かり、特に無菌の山土を使用するため管理が大変である。
【０００７】  本発明は、上記の問題点に鑑みなされたもので、ドラム缶を使用し、培地として、特にキノコを作った後の廃オガクズを使用することで安価な栽培方法を提供できると共に、収穫時も、ドラム缶を反転させることにより簡単に山芋等を取り出すことができ、培地は肥料として利用でき、無駄がなく、栽培場所も特に土を必要としない山芋等の栽培方法を提供することを目的とする。
【課題を解決するための手段】
【０００８】  上記課題を解決するための手段として、地面上に立設したドラム缶内に、オガクズと鶏糞と牛糞を混合した培地を入れ、上部に零余子等を３個から５個植え込み、成育に達した時、油圧ショベル等にてドラム缶を掴み、上面を下方に向け、中の培地を取り除き、山芋等を収穫すること。また、培地として、キノコを作った後の廃オガクズを自然発酵させたものに、発酵鶏糞と発酵牛糞を混合してなること。さらに、ドラム缶の外周面に穴を穿設してなること。その上、ドラム缶の立設場所が土以外の所であることを特徴とする。
【発明を実施するための最良の形態】
【０００９】  以下、本発明による山芋等の栽培方法を図面に基づいて詳細に説明する。
（１）、ドラム缶１は一般に出回っているものを利用するものとし、地面Ｇの上に立設するが、水平で、日当たりが良い場所であれば良く、必要に応じて複数個連設（配設）する。
なお、ドラム缶に穴を穿設し、水分調整しても良く、セメント地面上に置いて使用することもできる。
つまり、工場跡地等においても栽培できる。
（２）、つぎに、上記ドラム缶１内に培地２を入れる。
この培地２は、土を一切使用せず、オガクズと鶏糞と牛糞を混合したものであるが、主にキノコを作った廃培地（エノキ、シメジ、シイタケ等、原木を除く）すなわち廃オガクズ（原料として、針葉樹、広葉樹等）を夏場で約３ヵ月、冬場で約４ヵ月野積みして自然発酵させたものに、発酵鶏糞と発酵牛糞を少量（重量比で２％〜１０％）加え、混合したものである。
なお、ドラム缶１内に培地２を入れる方法としては、多量に栽培する場合、撹拌機（図示せず）やコンベヤー（図示せず）を使用する。
また、必要に応じてドラム缶１を別の場所に移動させて設置することもできる。
（３）、つづいて、ドラム缶１内に十分水を入れ、上部に零余子Ｎを３個、所要間隔にて植え込み、芽Ｍが約２０ｃｍ伸びた時点で、約２ｍの支柱Ｓを３本立て、それぞれに芽Ｍを干渉しないように巻き付ける。（干渉すると光合成がうまくいかない。）
なお、植え込んだ零余子Ｎの周囲を少し高くするのが望ましい。
また、基本的には雨水で十分であるが、２ヵ月位雨が降らない時は加水する。
さらに、必要に応じて年１〜２回、発酵鶏糞、発酵牛糞、米ヌカ等を表面に与えれば良い。
（４）、１年から２年で成育させるが、山芋Ｙの場合と自然薯、長芋では成育が異なり、それぞれ成長した時点で、油圧ショベルＰにてドラム缶１を掴み、上面を下方に向け（反転）、中の培地２を取り除き、山芋Ｙを収穫することができる。（まず、手で山芋Ｙを傷付けないように取り出す。）
なお、培地２はスコップ等を使用して取り除けば良い。
また、培地２は有機無農薬肥料として再利用することができるもので、必要に応じてトラック（図示せず）上で培地２を取り除き、そのまま農家等へ配送することもできる。【００１０】  なお、上記山芋等の栽培方法において、ドラム缶１の設置場所は平地、休耕地、山、工場跡地等、特に限定することなく使用できる。
また、ドラム缶１の穴は主に底面に設けるものとする。
さらに、ドラム缶１は何度でも再使用できるものである。
【発明の効果】
【００１１】（１）、ドラム缶を使用することにより、土を掘ることなく栽培でき、ドラム缶は再使用でき、安価に栽培できる効果がある。
（２）、設置場所が平地であれば、特に限定することなく、休耕地、山、工場跡地等で栽培ができる効果がある。
（３）、キノコを作った後の廃オガクズを自然発酵させたものに、発酵鶏糞と発酵牛糞を混合したものを培地として使用することにより、山芋等の成育が早く、使用後は肥料として農家等に還元できる効果がある。
（４）、培地は取り除き易く、誰でも簡単に作業できる。
【図面の簡単な説明】
【図１】  本発明の山芋等の栽培方法の工程流れ図。
【符号の説明】
１−−−ドラム缶
２−−−培地
Ｇ−−−地面
Ｎ−−−零余子
Ｓ−−−支柱
Ｍ−−−牙
Ｐ−−−油圧ショベル
Ｙ−−−山芋
【図１】
2005021145.tif 000003